(57)【要約】【課題】無線デマンド装置の接続先が、レンズ操作装置またはレンズ駆動装置のどちらの場合でも使用することが可能な無線デマンド装置を提供すること。【解決手段】レンズの操作を行うためのレンズ操作装置と、前記レンズ操作装置の指令値によりレンズを駆動させるレンズ駆動装置と、前記レンズ操作装置の指令値を無線信号に変換し通信を行う無線通信手段と、前記無線通信手段を持つ無線装置において、前記無線装置に前記レンズ操作装置もしくは前記レンズ駆動装置が接続されたこと識別する識別手段と、前記識別手段の結果に応じて指令値の無線通信送受信を切り替える無線信号送受信切替手段と、前記識別手段の結果に応じて前記無線装置と前記レンズ駆動装置または前記レンズ操作装置との通信を行うための入出力回路を切り替えるレンズ駆動信号入出力切替手段と、を有することを特徴とする。【選択図】図２
2014215339.tif 000002
【特許請求の範囲】
【請求項１】
レンズの操作を行うためのレンズ操作装置と、
前記レンズ操作装置の指令値によりレンズを駆動させるレンズ駆動装置と、
前記レンズ操作装置の指令値を無線信号に変換し通信を行う無線通信手段と、
前記無線通信手段を持つ無線装置において、
前記無線装置に前記レンズ操作装置もしくは前記レンズ駆動装置が接続されたこと識別する識別手段と、
前記識別手段の結果に応じて指令値の無線通信送受信を切り替える無線信号送受信切替手段と、
前記識別手段の結果に応じて前記無線装置と前記レンズ駆動装置または前記レンズ操作装置との通信を行うための入出力回路を切り替えるレンズ駆動信号入出力切替手段と、
を有することを特徴とする無線レンズ操作装置。
【請求項２】
前記無線装置を駆動する充放電可能な2次電池部と、
前記識別手段の結果に応じて電源給電先を前記２次電池部または外部電源から選択することができる電源選択手段と、
前記識別手段の結果に応じて前記2次電池部の充電を行う充電制御手段と、
を有することを特徴とする請求項１に記載の無線レンズ操作装置。
【請求項３】
前記無線装置の状態を表示する表示部と、
前記識別手段の結果に応じて前記表示部の表示機能を切り替える表示部制御手段と、
を有することを特徴とする請求項１に記載の無線レンズ操作装置。
【発明の詳細な説明】
【技術分野】
【０００１】
本発明は、光学部材の駆動を制御するレンズ操作装置に関し、レンズ駆動装置とレンズ操作装置の位置関係に拘らない運用での運用性向上を可能とする。
【背景技術】
【０００２】
レンズ装置にはレンズを駆動するレンズ駆動装置とレンズ操作を行うレンズ操作装置があり、装置間をケーブルで接続することで通信を行う。
【０００３】
レンズ操作装置にはズームデマンドがあり、ズームデマンドの操作量に応じてレンズ駆動装置がズームレンズを駆動する。また、レンズ駆動信号だけではなくリターンスイッチ指令、ＶＴＲスイッチ指令、ショット指令、ショット記憶指令信号の通信も行う。同様にフォーカスレンズについてもレンズ駆動信号、スイッチ指令の通信を行う。
【０００４】
この時、レンズ駆動装置とレンズ操作装置間のレンズ駆動信号の送受信をケーブルを接続して行う代わりに無線で通信を行う、無線デマンド装置が特許文献１で開示されている。
【０００５】
通常、無線デマンド装置をレンズ駆動装置とレンズ操作装置それぞれに接続することで無線通信を行うが、接続する装置により無線デマンド装置の機能が異なる。
【０００６】
レンズ操作装置に接続する無線デマンド装置には、レンズ操作装置からのレンズ駆動信号を入力可能な機能とレンズ駆動信号を無線信号に変換、送信する機能を持つ。
【０００７】
レンズ駆動装置に接続する無線デマンド装置には、無線信号のレンズ駆動信号を受信する機能と、受信したレンズ駆動信号をレンズ駆動装置が制御可能な信号に変換する機能を持つ。
【０００８】
また、レンズ駆動信号やスイッチ指令信号などのデマンド情報を多重化し１本の情報信号として有線、無線で伝送する件に関しては特許文献２で開示されている。
【先行技術文献】
【特許文献】
【０００９】
【特許文献１】特開２００６−０３３２８４号公報
【特許文献２】特開平２００７−２９３０７０号公報
【発明の概要】
【発明が解決しようとする課題】
【００１０】
しかしながら、無線デマンド装置の通信において、接続先がレンズ操作装置かレンズ駆動装置かによって受信側無線デマンド装置、送信側無線デマンド装置と機能が異なるため、接続する装置毎に各々用意する必要があり、異なる装置へ接続した場合には通信を行うことが出来ない。
【課題を解決するための手段】
【００１１】
本発明は、レンズの操作を行うためのレンズ操作装置と、前記レンズ操作装置の指令値によりレンズを駆動させるレンズ駆動装置と、前記レンズ操作装置の指令値を無線信号に変換し通信を行う無線通信手段と、前記無線通信手段を持つ無線装置において、前記無線装置に前記レンズ操作装置もしくは前記レンズ駆動装置が接続されたこと識別する識別手段と、前記識別手段の結果に応じて指令値の無線通信送受信を切り替える無線信号送受信切替手段と、前記識別手段の結果に応じて前記無線装置と前記レンズ駆動装置または前記レンズ操作装置との通信を行うための入出力回路を切り替えるレンズ駆動信号入出力切替手段と、を有することを特徴とする。
【発明の効果】
【００１２】
本発明によれば、無線デマンド装置にレンズ駆動信号の入出力手段を設け、接続先認識と入出力設定を自ら行うことで、受信側無線デマンド装置と送信側無線デマンド装置を共通化することできる。それにより、装置運用形態に合わせて無線デマンド装置の入出力型を変更し使用することが出来る。
【図面の簡単な説明】
【００１３】
【図１】実施例１のブロック図
【図２】実施例１のフローチャート
【図３】実施例１のペアリングタイミングチャート
【図４】実施例２のブロック図
【図５】実施例２のフローチャート
【図６】実施例３のブロック図
【図７】実施例３のフローチャート
【発明を実施するための形態】
【００１４】
［実施例１］
以下、図面を参照しながら、本発明の第1の実施例によるシステムについて説明する。
【００１５】
図１において１は無線通信機能を搭載した無線デマンド装置であり、１０１は無線デマンド装置全般の制御を行う制御マイコンである。
【００１６】
１０２は無線通信を行う無線通信マイコンであり、無線信号の送受信手段を持っている。
【００１７】
１０３はコネクタ１の接続相手を識別する識別手段で制御マイコン１０１がもつ機能であり、その識別結果により無線信号送受信切替手段１０４とレンズ駆動信号入出力切替手段１０５の機能を切り替える。
【００１８】
１０６は無線通信時の接続認証、つまりペアリングを開始するペアリングＳＷである。
【００１９】
１０７は制御マイコン１０１内にある記憶手段で、無線マイコン１０１の設定情報を保持を行う。
【００２０】
１０８は電源ＳＷで、１０９は電源ＳＷ１０８によってオンオフされる２次電池である。
【００２１】
２は無線デマンド装置１のコネクタ１に接続され、レンズ操作を行うためのレンズ駆動信号を出力するレンズ操作装置である。３は無線デマンド装置１のコネクタ１に接続され、レンズ操作装置２から出力されたレンズ駆動信号に基づいてレンズを駆動させるレンズ駆動装置である。
【００２２】
なお、レンズ駆動装置３にはレンズが接続されるが、本実施例では省略している。
【００２３】
図２は無線デマンド装置１の動作フローである。無線デマンド装置１のコネクタ１にレンズ操作装置２またはレンズ駆動装置３が接続された時の処理について同図を用いて説明する。
【００２４】
処理ステップＳ２０１で処理を開始し、処理ステップＳ２０２で設定情報の呼び出しを行う。設定情報とは前回行った識別手段１０３の判定結果により設定され、記憶手段１０７に保持されている無線信号送受信切替手段とレンズ駆動信号入出力切替手段の設定と前回行ったペアリング結果の無線通信ＩＤである。無線通信ＩＤとは無線通信でペアリングを行った際に発行される通信認証コードで、無線通信に無線通信ＩＤを付加することで他の無線通信と区別することができる。
【００２５】
処理ステップＳ２０３では処理ステップＳ２０２の結果に応じて、無線信号送受信切替手段１０４、レンズ駆動信号入出力切替手段１０５、無線通信ＩＤの設定を行う。
【００２６】
処理ステップＳ２０４でペアリングＳＷ１０６が押下されたか判断する。ペアリングＳＷ１０６が押下されたと判断した場合には処理ステップＳ２０５へ進み、ペアリングＳＷ１０６が押下されていないと判断された場合には処理ステップＳ２１４へ進む。
【００２７】
処理ステップＳ２０５ではコネクタ１の接続先がレンズ駆動装置３であるか、もしくはレンズ操作装置２であるかを制御マイコン１０１の識別手段１０３で識別する。識別はコネクタ１に接続されたコネクタの電源電圧Ｖで行い、判定の閾値電圧をｘとして式１の計算を行う。
【００２８】
V > x （式１）
上記条件が満たされた場合にはコネクタ１にレンズ駆動装置３が接続されてると判断し、処理ステップＳ２０６へ進み、上記条件が満たされない場合には処理ステップＳ２０９へ進む。
【００２９】
処理ステップＳ２０６では無線信号送受信切替手段１０４により無線通信マイコン１０２に対して、無線信号化されたレンズ駆動信号を受信し制御マイコン１０１に出力するよう設定を行う。
【００３０】
処理ステップＳ２０７では無線通信マイコン１０２からのレンズ駆動無線信号を、レンズ駆動装置３へ出力するための回路設定を行う。この出力回路は、デジタル信号であるレンズ駆動信号をＤＡコンバータでアナログ信号に変換を行い、また、電圧シフト回路を設けてレンズ駆動装置３を制御可能な信号に変換する。
【００３１】
処理ステップＳ２０８では無線通信マイコン１０２にスレーブ設定を行う。このスレーブとは無線通信でのペアリングを行う際のスレーブに相当する。スレーブ設定にすることでマスター設定無線通信デマンドからの検索に対して応答を行い、無線通信ＩＤの送信を行う。
【００３２】
処理ステップＳ２０５でコネクタ１に接続されている相手がレンズ駆動装置３ではないと判断した場合には、レンズ操作装置２が接続されていると判断して処理ステップＳ２０９へ進む。
【００３３】
処理ステップＳ２０９では無線信号送受信切替手段１０４により無線通信マイコン１０２に対し、制御マイコン１０１からのレンズ駆動信号を無線信号に変換し送信するよう設定を行う。
【００３４】
処理ステップＳ２１０ではレンズ操作装置２からのレンズ駆動信号を入力できるよう回路設定を行う。この入力回路ではレンズ駆動信号を電圧シフト回路によってＡＤコンバータに入力可能な電圧に変換し、ＡＤコンバータにてデジタル信号に変換する。デジタル化された信号を制御マイコン１０１へ送る。
【００３５】
処理ステップＳ２１１では無線通信マイコン１０２にマスター設定を行う。このマスターとは無線通信でペアリングを行う際のマスターに相当する。マスター設定にすることでスレーブ設定の無線通信デマンドを検索し、見つかった場合には無線通信ＩＤの送信要求を行う。無線通信ＩＤを受信する。
【００３６】
処理ステップＳ２１２では無線通信ＩＤを送受信するためのペアリングを行う。図３に記載されているように、マスター側無線通信デマンドはスレーブ側無線通信デマンドの検索を行い、スレーブ側無線通信デマンドはその検索に応答を行う。応答信号を受信したマスター側無線通信デマンドはスレーブ側無線通信デマンドに無線通信ＩＤの送信を要求する。スレーブ側無線通信デマンドはマスター側無線通信デマンドへ無線通信ＩＤの送信を行い、マスター側無線通信デマンドが無線通信ＩＤを受信することでペアリングは完了する。
【００３７】
処理ステップＳ２１２でペアリングが成功した場合には処理ステップＳ２１３へ進む。
【００３８】
処理ステップＳ２１３では、無線信号送受信切替手段１０４、レンズ駆動信号入出力切替手段１０５の設定値と処理ステップＳ２１２でのペアリング成功時に取得した無線通信ＩＤを制御マイコン１０１の記憶手段１０９に保持する。保持したデータは、次回ペアリング成功に新しい設定で上書きされる。
【００３９】
処理ステップＳ２１２でペアリングが失敗した場合には処理ステップＳ２０４へ進む。
【００４０】
処理ステップＳ２１４でマスター側無線通信デマンドとスレーブ側無線通信デマンドでレンズ駆動信号の無線通信を開始する。再度ペアリングＳＷ１０６が押下されるまで現在の設定で通信を行い続ける。
【００４１】
このように、運用時は記憶手段１０９に保持された設定で通信を行い、再度ペアリングＳＷ１０６が押下されるまで設定を保持する。無線デマンド装置に接続する装置を変更した場合には、再度ペアリングＳＷ１０６を押下し再設定を行う必要がある。
【００４２】
なお、本実施例ではレンズ駆動信号を例にとり説明を行ったが、スイッチによる指令信号でもよい。また、このシステムはデジタルのレンズ駆動装置でも利用できる技術である。
【００４３】
［実施例２］
以下、図面を参照しながら、本発明の第２の実施例によるシステムについて説明する。
【００４４】
図４に本実施例の特徴を顕すシステム構成図を示す。図１と同一構成部分については同一の符号をつけ説明を省略する。４０１は無線デマンド装置に給電を行う電源を選択する電源選択手段で、４０２は2次電池１０８に対して充電を行う充電手段である。
【００４５】
図５は無線デマンド装置１の動作フローである。無線デマンド装置１のコネクタ１にレンズ操作装置２またはレンズ駆動装置３が接続された時の電源選択処理について同図を用いて説明する。
【００４６】
処理ステップＳ５０１で処理を開始し、処理ステップＳ５０２では電源ＳＷ１０７がオンされるまで待ち、オンされたら処理ステップＳ５０３へ進む。電源ＳＷ１０７がオン直後は無線デマンド装置１の給電を２次電池１０８で行う。
【００４７】
処理ステップＳ５０４ではコネクタ１の接続先がレンズ駆動装置３であるか、もしくはレンズ操作装置２であるかを制御マイコン１０１で識別する。識別はコネクタ１に接続されたコネクタの電源電圧Ｖで行い、判定の閾値電圧をｘとして式１の計算を行う。
【００４８】
V > x （式１）
上記条件が満たされた場合にはコネクタ１にレンズ駆動装置３が接続されていると判断し、処理ステップＳ５０５へ進み、上記条件が満たされない場合には処理ステップＳ５０４へ進む。
【００４９】
処理ステップＳ５０５では無線デマンド装置１の給電を２次電池１０８からレンズ駆動装置３に切替を行う。
【００５０】
処理ステップＳ５０６では２次電池１０８に対して充電制御手段４０２から充電を開始する。
【００５１】
このように、本実施例の特徴は無線デマンド装置をレンズ駆動装置３に接続した場合に、給電を2次電池１０８からレンズ駆動装置３に切り替えるとともに、2次電池１０８に充電を行うことができる点である。
【００５２】
また、レンズ駆動装置３とレンズ操作装置２への接続を交互に行うことにより２次電池２を交換することなく無線デマンド装置１を使用することができる。
【００５３】
［実施例３］
以下、図面を参照しながら、本発明の第３の実施例によるシステムについて説明する。
【００５４】
本実施例の特徴は無線デマンド装置をレンズ駆動装置３に接続した場合に、無線デマンド装置の表示部の表示を変更することができる点である。
【００５５】
図６に本実施例の特徴を顕すシステム構成図を示す。図１と同一構成部分については同一の符号をつけ説明を省略する。６０１は表示部の表示非表示を切り替える表示部制御手段である。６０２は表示を行う表示部である。
【００５６】
図７は無線デマンド装置１内部での動作フローである。無線デマンド装置１のコネクタ１にレンズ操作装置２またはレンズ駆動装置３が接続された時の表示設定処理について同図を用いて説明する。
【００５７】
処理ステップＳ７０１で処理を開始し、処理ステップＳ７０２で表示部に対し表示設定１を行う。表示設定１では無線デマンド装置同士で通信状態であることが判別できる表示を行う。
【００５８】
処理ステップＳ７０３ではコネクタ１の接続先がレンズ駆動装置３であるか、もしくはレンズ操作装置２であるかを制御マイコン１０１で識別する。識別はコネクタ１に接続されたコネクタの電源電圧Ｖで行い、判定の閾値電圧をｘとして式１の計算を行う。
【００５９】
V > x （式１）
上記条件が満たされた場合にはコネクタ１にレンズ駆動装置３が接続されていると判断し、処理ステップＳ７０４へ進む。
【００６０】
処理ステップＳ７０４では無線デマンド装置１の表示部６０２を表示設定２に変更する。表示設定２では無線デマンド装置同士で通信状態であることが判別でき、また表示設定１とは異なる表示を行う。
【００６１】
処理ステップＳ７０３でコネクタ１にレンズ駆動装置３が接続されていないと判断した場合には処理ステップＳ７０３へ進む。このときは表示部６０２は表示設定１のままである。
【００６２】
このように表示設定を無線デマンド装置１の接続先によってを変えることにより、マスター側とスレーブ側の無線デマンド装置を区別することができる。また、表示部の表示が必要無ければ非表示にすることもできる。
【符号の説明】
【００６３】
１：無線デマンド装置 
２：レンズ操作装置
３：レンズ駆動装置
１０１：制御マイコン
１０２：無線通信マイコン
１０３：識別手段
１０４：無線信号送受信切替手段
１０５：レンズ駆動信号入出力切替手段
１０６：ペアリングＳＷ
１０７：記憶手段
１０８：電源ＳＷ
１０９：２次電池
４０１：電源選択手段
４０２：充電制御手段
６０１：表示部制御手段
６０２：表示部
【図１】
2014215339.tif 000003
【図２】
2014215339.tif 000004
【図３】
2014215339.tif 000005
【図４】
2014215339.tif 000006
【図５】
2014215339.tif 000007
【図６】
2014215339.tif 000008
【図７】
2014215339.tif 000009